(57)【要約】【課題】メモリカードの飛び出しを防止したメモリカード用ソケットを提供する。【解決手段】スライダー５は主部５ａと主部５ａの左右両端部からそれぞれ前方に突出する腕部５ｂ，５ｃとでコ字型に形成され、腕部５ｂ，５ｃにはメモリカードの裏面の左右両側縁に形成された段部を載置摺動するための段部１７，１７が形成されている。スライダー５はコイルばね２３によって取出方向に常時付勢されており、ハウジング内に挿入されたメモリカードの後部が主部５ａに当接することで押力を受けて、ハウジングに対してスライドする。また、一方の腕部５ｃの段部１７上面には、メモリカードに形成されたロック用切欠に対応する部位に山形突起３６を形成してあり、カード取出時にロック用切欠が山形突起３６に引っ掛かることでメモリカードの飛び出しが防止される。【選択図】      図１
2005026016.tif 000002
【特許請求の範囲】
【請求項１】
前部に開口したカード挿入口を通してメモリカードがスライドして挿抜されるハウジングと、ハウジングの内部に保持されメモリカードに設けた接続端子に接触する複数本のコンタクトと、ハウジング内部に挿入されたメモリカードに当接して押力を受け、ハウジングに対してメモリカードの挿抜方向に沿ってスライドするスライド部材と、メモリカードを取り出す際にスライドする取出方向にスライド部材をハウジングに対して付勢する付勢ばねと、メモリカードの接続端子がコンタクトに接触する保持位置よりも奥のロック位置までスライド部材が押し込まれるとスライド部材の前記取出方向への移動を禁止すると共に、スライド部材が前記ロック位置よりも奥まで一旦押し込まれた状態で押力が解除されるとスライド部材を解放するロック機構とを備え、前記スライド部材は、メモリカードの後部と当接する主部と、当該主部の左右両端部からそれぞれ前方に突出してメモリカードの左右両側縁をそれぞれガイドする腕部とでコ字型に形成され、メモリカードの側縁に形成されたロック用切欠に対応する腕部の部位にロック用切欠内に突出する山形突起を形成したことを特徴とするメモリカード用ソケット。
【請求項２】
各腕部にメモリカードの裏面の左右両側縁に形成された段部を載置摺動するためのガイド用段部を設け、このガイド用段部のメモリカード裏面との対向面に山形突起を形成してあり、スライド部材がメモリカードの取出位置まで移動した状態で山形突起に対向するハウジングの部位に、ハウジング内部に挿入されるメモリカードの表面に弾接してメモリカードをスライド部材に押し付ける弾接部を設けたことを特徴とする請求項１記載のメモリカード用ソケット。
【発明の詳細な説明】
【０００１】
【発明の属する技術分野】
本発明は、ＳＤメモリカードやマルチメディアカード（ＭＭＣカード）のようなメモリカードを挿抜自在に接続するためのメモリカード用ソケットに関するものである。
【０００２】
【従来の技術】
この種のメモリカード用ソケットとしては、前部に開口したカード挿入口を通してメモリカードがスライドして挿抜されるハウジングと、ハウジングの内部に保持されメモリカードに設けた接続端子に接触する複数本のコンタクトと、ハウジング内部に挿入されたメモリカードに当接して押力を受け、ハウジングに対してメモリカードの挿抜方向に沿ってスライドするスライド部材と、メモリカードを取り出す際にスライドする取出方向にスライド部材をハウジングに対して付勢する付勢ばねと、メモリカードの接続端子がコンタクトに接触する保持位置よりも奥のロック位置までスライド部材が押し込まれるとスライド部材の取出方向への移動を禁止すると共に、スライド部材がロック位置よりも奥まで一旦押し込まれた状態で押力が解除されるとスライド部材を解放するプッシュオン・プッシュオフ型のロック機構とを備えたものが従来より提供されている（例えば、特許文献１参照）。
【０００３】
上記のようにプッシュオン・プッシュオフ型のロック機構を備えたメモリカード用ソケットにメモリカードを接続する際は、メモリカードをハウジングに挿入して押し込む。そして、スライド部材がメモリカードを介して押力を受け、メモリカードの接続端子がコンタクトに接触する保持位置よりもやや奥のロック位置まで移動したときに、取出方向へのスライド部材の移動がロック機構によって禁止され、メモリカードへの押力を除去した後にもメモリカードが保持位置に留まることになる。一方、メモリカードを抜く際には、ロック位置よりも少し奥にメモリカードを一旦押し込んでからメモリカードへの押力を除去すると、ロック機構がスライド部材を解放し、メモリカードがスライド部材を介して付勢ばねのばね力を受け、ハウジングから押し出される。
【０００４】
【特許文献１】
特許第３２５２１３３号明細書（第３頁−第４頁、及び、第６図）
【０００５】
【発明が解決しようとする課題】
しかしながら、上述したロック機構を備えるメモリカード用ソケットでは、メモリカードを取り出そうとしたときに、メモリカード用ソケットの後部を弾くように操作すると、付勢ばねのばね力によってメモリカードがソケットから勢いよく飛び出してしまうという問題があった。
【０００６】
メモリカードの飛び出しを防ぐためには付勢ばねのばね力を弱めれば良いが、付勢ばねのばね力を弱めると、メモリカードが押し出される過程でメモリカードがコンタクトから離れる前に、付勢ばねのばね力がコンタクトの接触圧による摩擦力よりも弱くなって、メモリカードが途中で停止するといった動作不良を起こす虞があり、付勢ばねのばね力を弱めることができなかった。
【０００７】
本発明は上記問題点に鑑みて為されたものであり、その目的とするところは、メモリカードの飛び出しを防止したメモリカード用ソケットを提供することにある。
【０００８】
【課題を解決するための手段】
上記目的を達成するために、請求項１の発明は、前部に開口したカード挿入口を通してメモリカードがスライドして挿抜されるハウジングと、ハウジングの内部に保持されメモリカードに設けた接続端子に接触する複数本のコンタクトと、ハウジング内部に挿入されたメモリカードに当接して押力を受け、ハウジングに対してメモリカードの挿抜方向に沿ってスライドするスライド部材と、メモリカードを取り出す際にスライドする取出方向にスライド部材をハウジングに対して付勢する付勢ばねと、メモリカードの接続端子がコンタクトに接触する保持位置よりも奥のロック位置までスライド部材が押し込まれるとスライド部材の取出方向への移動を禁止すると共に、スライド部材がロック位置よりも奥まで一旦押し込まれた状態で押力が解除されるとスライド部材を解放するロック機構とを備え、スライド部材は、メモリカードの後部と当接する主部と、当該主部の左右両端部からそれぞれ前方に突出してメモリカードの左右両側縁をそれぞれガイドする腕部とでコ字型に形成され、メモリカードの側縁に形成されたロック用切欠に対応する腕部の部位にロック用切欠内に突出する山形突起を形成したことを特徴とする。
【０００９】
この発明によれば、メモリカードをハウジングの内部に挿入した状態でスライド部材に設けた山形突起がメモリカードのロック用切欠内に突出しているので、メモリカードをソケットから取り外す際にロック機構によってスライド部材が解放され、付勢ばねの付勢力によってスライド部材が取出方向にいっぱいまで移動した際に、慣性でメモリカードが取出方向へ移動しようとすると、ロック用切欠の縁にスライド部材の山形突起が引っ掛かるから、メモリカードの飛び出しを防止することができる。
【００１０】
また請求項２の発明は、請求項１の発明において、各腕部にメモリカードの裏面の左右両側縁に形成された段部を載置摺動するためのガイド用段部を設け、このガイド用段部のメモリカード裏面との対向面に山形突起を形成してあり、スライド部材がメモリカードの取出位置まで移動した状態で山形突起に対向するハウジングの部位に、ハウジング内部に挿入されるメモリカードの表面に弾接してメモリカードをスライド部材に押し付ける弾接部を設けたことを特徴とする。
【００１１】
この発明によれば、ハウジングに設けた弾接部によってメモリカードがスライド部材に押し付けられるから、メモリカードの厚み寸法がばらついても、山形突起とロック用切欠の縁とを確実に引掛係止させて、メモリカードの飛び出しを防止することができる。
【００１２】
【発明の実施の形態】
本発明に係るメモリカード用ソケットの一実施形態を、ＳＤメモリのようなメモリカードを挿抜自在に接続するソケットを例に図１〜図５を参照して説明する。尚、以下の説明では図３に示す向きにおいて上下左右の方向を規定し、カードの取出方向を前側として説明を行う。
【００１３】
図３に示すように、本実施形態で用いるメモリカードＭＣはＳＤメモリカードであり、外周形状が略矩形状であって、後側の下面には図示しない複数個（ＳＤメモリカードでは９個）の接続端子が左右に並べて設けられている。また、メモリカードＭＣの後部（挿入側）の一方の角（右後ろの角）を落として逆差し防止用の傾斜カット部１０１を形成してあり、メモリカードＭＣの右側縁には、傾斜カット部１０１よりもやや前側の部位に矩形状に陥没したロック用切欠１０２が設けられている。さらに、メモリカードＭＣの下面側の左右両側部には、上面側の幅よりも下面側の幅を狭くする段部１０３，１０３が形成されている。また、メモリカードＭＣの左側縁には、手操作で摘みを前後にスライドさせることでデータの書き込み可能・禁止を切り替えるライトプロテクトスイッチ１０４が設けられている。
【００１４】
次に本実施形態のソケットの構造を詳細に説明する。図２は本実施形態の分解斜視図、図３は本実施形態の外観斜視図であり、このメモリカード用ソケットは、それぞれ厚さが極薄いステンレス金属板を打ち抜き且つ曲げ加工することにより形成されたベースシェル１及びカバーシェル２からなり、ベースシェル１上にカバーシェル２を被着することで前部にメモリカードを挿入するカード挿入口３ａが開口した扁平な箱状のハウジング３と、ハウジング３の後部内に装着されるコンタクトブロック４と、コンタクトブロック４の前方側のハウジング３内に前後方向（メモリカードＭＣの挿抜方向）に移動自在に配置されるスライダー５（スライド部材）とを主要な構成要素としたものである。
【００１５】
ベースシェル１は、底板６ａの左右両側に上面（ハウジング３の内側に対応）側方向に折り曲げて形成した側壁６ｂ，６ｂを設けたもので、前後端が開放されている。
【００１６】
底板６ａの後端には、コンタクトブロック４の樹脂製基体７に上下方向に貫通させた圧入孔８に下方から圧入してコンタクトブロック４を後部上面に固定する複数個の突出片９を所定間隔で両側方向に４つ折り曲げ形成している。また、底板６ａの後端よりやや前方の位置には、コンタクトブロック４にそれぞれ保持される後述のコンタクト１０…及びスイッチ片１２ａ，１２ｂがメモリカードＭＣによって下方に押された時に底板６ａに接触しないように逃がすための逃がし孔１４が複数貫設されている。
【００１７】
一方、左右の側壁６ｂ，６ｂには係止孔３５が前後方向に３個ずつ貫設してある。また右側の側壁６ｂには、前後方向における中間部を内側方向に切り起こすことで、スライダー５の前後方向の移動を規制するピン３１の一端を支持するＬ字状片３２が形成してある。Ｌ字状片３２はその立片に軸孔３２ａを形成して、この軸孔３２ａにピン３１の一端の軸部３１ａを回動自在に軸支するようになっている。ピン３１はスライダー５の右側の腕部５ｃの外側面に形成した凹み部内に配置され、他端の軸部３１ｂを腕部５ｃの前部外側面に形成した後述のハートカム溝部３０に移動自在に係入させている。
【００１８】
さらに、右側の側壁６ｂの前部には押圧ばね片３３が切り起こしによって形成されており、この押圧ばね片３３によりピン３１の前側の側面がスライダー５の腕部５ｃ側に押圧されて、軸部３１ｂの先端部がハートカム溝部３０のガイド溝３０ｂ底部の凹凸面に接触する。
【００１９】
また更に、ベースシェル１の底板６ａの前端（カード挿入口３ａ側）には両側縁が前方に広がるように拡開形成した凹欠６ｃが形成され、この凹欠６ｃの傾斜辺となる両側縁に沿って上方に向けて逆入れ防止用の突片１８を切り起こしにより形成している。この突片１８，１８間がメモリカードＭＣのカード挿入口３ａに対応し、各突片１８の上部内側縁には段部１８ａを形成し、両突片１８の段部１８ａよりも上側の内側縁間の寸法を、メモリカードＭＣの両側の最大幅の寸法よりもやや大きく設定し、またベースシェル１の上面と段部１８ａの上向き面との間の寸法を、メモリカードＭＣの左右両側の段部１０３の高さ寸法よりやや小さい寸法に設定し、さらに段部１８ａより下側の内側縁間の寸法をメモリカードＭＣの段部１０３より下方の両側幅の寸法よりやや大きく設定してある。以上のような寸法関係に設定することにより、メモリカードＭＣの裏面側をベースシェル１の上面側に載せる状態ではメモリカードＭＣの段部１０３が突片１８の段部１８ａ上を通過することができて上記カード挿入口３ａからのメモリカードＭＣの挿入を可能とし、逆にメモリカードＭＣの表面をベースシェル１の上面側に向けた場合にはメモリカードＭＣのベースシェル１側となった両側部が両側の突片１８，１８の内側縁間を通過できず、メモリカードＭＣの表裏方向の間違いによる誤挿入を防止するようなっている。
【００２０】
またカバーシェル２は、天板２０ａの左右両側に折り曲げによって下向きの側壁２０ｂ，２０ｂを一体に設けてあり、天板２０ａの後端には所定間隔で複数の下向きの突出片２１を折り曲げ形成している。これらの突出片２１はベースシェル１上にカバーシェル２を被着する際に、ベースシェル１の後部上面に配置されるコンタクトブロック４の基体７上面に開口するように貫設された圧入孔２２に圧入してコンタクトブロック４を固定するためのものである。また、両側壁２０ｂ，２０ｂには、側壁６ｂ，６ｂの係止孔３５…に対応する位置に弾性係止片３４…が切り起こしによって形成されている。
【００２１】
さらに、天板２０ａの前よりの部位の左右の端部には、前後方向に沿って並行する各２本のスリット２４を打抜き形成し、２本のスリット２４でそれぞれ挟まれた部位には前後方向の中間部が下方へ突出するように折り曲げられ、メモリカードＭＣにおける接続端子が設けられた面と反対側の面に弾接して、メモリカードＭＣをスライダー５に押し付ける押え片２５（弾接部）が設けられている。
【００２２】
コンタクトブロック４は、メモリカードＭＣの後部下面に並行配設した複数の接続端子に夫々接触するコンタクト１０…と、メモリカードＭＣの挿入検出用のスイッチ片１１ａ，１１ｂと、ライトプロテクトスイッチ１０４の位置検出用のスイッチ片１２ａ，１２ｂとを樹脂製の基体７にインサート成形によって一体保持させており、基体７の前面側（カード挿入口３ａ側）にはコンタクト１０…及びスイッチ片１１ａ，１１ｂ，１２ａ，１２ｂの接触側を突出させ、基体７の後面側には回路基板等に夫々を半田付けするための半田付け端子部１３…を突出させている（図２参照）。尚、スイッチ片１１ａ，１１ｂは基体７の右端部に一体保持されて、メモリカードＭＣの傾斜カット部１０１に対向し、スイッチ片１２ａ，１２ｂはメモリカードＭＣのライトプロテクトスイッチ１０４に対応して基体７の左端部に一体保持されている。
【００２３】
また、基体７の前面には段部を設けてあり、この段部に一端が開口するように上記圧入孔８…を上下方向に貫通させ、さらに基体７の後側上面に一端が開口するように圧入孔２２…を上下方向に貫通させている。
【００２４】
スライダー５は合成樹脂成型品からなり、左右に長くメモリカードＭＣの後端に当接する主部５ａと、主部５ａの左右の端部からそれぞれ前方に突出する腕部５ｂ，５ｃとでコ字型に形成されている。また、主部５ａと右側の腕部５ｃとで囲まれた入り隅にはメモリカードＭＣの傾斜カット部１０１に衝合する傾斜面１５ａを前面に形成した張出部１５が設けられており、さらに主部５ａの下面には、スライダー５が押し込まれた時にコンタクト１０を前方に突出させるための凹溝１６が複数個設けられている。
【００２５】
各腕部５ｂ，５ｃは、メモリカードＭＣの左右の側縁をガイドするものであって、各腕部５ｂ，５ｃの内側面の下部には前端から後方に向けてメモリカードＭＣの左右両側の段部１０３，１０３を載置摺動するための段部１７，１７が設けられている。そして、メモリカードＭＣのロック用切欠１０２が設けられた方の側縁をガイドする右側の腕部５ｃには、メモリカードＭＣの後端部をスライダー５の主部５ａに当接させた状態でロック用切欠１０２に対応する部位に上側に向かって突出する山形突起３６が突設されている（図１（ａ）（ｂ）参照）。また、各腕部５ｂ，５ｃの前端内側面には、それぞれ前方へ向かって腕部５ｂ，５ｃの間の間隔を広げる傾斜面１９，１９が形成されている。
【００２６】
また、スライダー５の各腕部５ｂ，５ｃには、それぞれコイルばね２３，２３の一端が挿入される溝（図示せず）が設けられている。これらの溝の前端内面はコイルばね２３の弾発力を受ける面となり、両腕部５ｂ，５ｃが均等に付勢ばねとしてのコイルばね２３，２３の弾発力を前方方向に受けることで、スライダー５がハウジング３内をスムーズに前後方向に摺動できることになる。なお各コイルばね２３の他端は、それぞれ、ばね座片２６を介してベースシェル１に取り付けられている。各ばね座片２６は、コイルばね２３に後方から挿入されてコイルばね２３の座屈を防止する座屈防止針２６ａと、ベースシェル１の各側壁６ｂ，６ｂの後端部に設けた結合孔２７，２７に凹凸結合する取付片２６ｂとをそれぞれ具備している。
【００２７】
更に右側の腕部５ｃの前部外側面にはハートカム溝部３０を形成してある。このハートカム溝部３０は、図５に示すようにハートカム３０ａとガイド溝３０ｂとから構成され、ピン３１の軸部３１ｂをガイド溝３０ｂに係入し、スライダー５の前後移動に伴い、ガイド溝３０ｂとガイド溝３０ｂの底面に形成した凹凸面３０ｃとでピン３１の軸部３１ｂのガイド溝３０ｂ内の相対的な移動をガイドするようなっている。
【００２８】
また、メモリカードＭＣの脱落を防止するロック片２８が、カバーシェル２の右後端部を切り起こして形成されており、ロック片２８の前端部が左右方向に撓み可能となっている。ロック片２８の前後方向における中間部には、ロック片２８の前端部を後部よりも左側に突出させる段部２８ａが設けられ、さらにロック片２８の前端には内側（左側）に突出するロック爪２８ｂが曲成されている。一方、スライダー５の右側の腕部５ｃの上面には、ロック片２８に対向する部位に腕部５ｃの左右にそれぞれ解放された凹欠部２９が形成されており、この凹欠部２９を介してロック片２８のロック爪２８ｂを腕部５ｃの内側面側へ臨ませるようになっている。
【００２９】
以上説明したような本実施形態のメモリカード用ソケットを組み立てるに当たっては、ベースシェル１の両側壁６ｂ，６ｂの後端に設けた結合孔２７，２７にばね座片２６，２６の取付片２６ｂ，２６ｂを凹凸結合して、ばね座片２６，２６の座屈防止針２６ａ，２６ａにコイルばね２３の後端部を挿入することで、コイルばね２３，２３をベースシェル１の後部両側内に配置する。
【００３０】
次にベースシェル１の上面後部にコンタクトブロック４を載置する。このときベースシェル１の後端に突出させている突出片９…を、コンタクトブロック４の圧入孔８…に下方から圧入してコンタクトブロック４をベースシェル１上に固定する。その後、ベースシェル１の上面後部に載置固定されたコンタクトブロック４の前方側のベースシェル１上に、両腕部５ｂ，５ｃに形成した溝内にコイルばね２３，２３の前部を嵌めるようにしてスライダー５を載置する。そして、ピン３１の一端側の軸部３１ａをベースシェル１のＬ字状片３２の軸孔３２ａに挿入して軸支させるとともに、ピン３１を腕部５ｃとベースシェル１の右側の側壁６ｂとの間に配置し、さらにピン３１の他端側の軸部３１ｂを腕部５ｃの前部外側面に形成したハートカム溝部３０に係入する。この際、ピン３１はベースシェル１の側壁６ｂに設けた押圧ばね片３３により腕部５ｃ側に付勢され、軸部３１ｂの先端がハートカム溝部３０のガイド溝３０ｂ底面に形成した凹凸面３０ｃと当接する。またスライダー５はコイルばね２３，２３によって前方方向に付勢されて、カード挿入口３ａ側へ押し動かされ、両腕部５ｂ，５ｃの前端部に形成した傾斜面１９，１９が、ベースシェル１の前端に設けた突片１８，１８の裏面の傾斜面に衝合してスライダー５のそれ以上の前方への移動が規制される。
【００３１】
このようにしてベースシェル１上にコンタクトブロック４，スライダー５を配置するとともに、コイルばね２３，２３及びピン３１を装着した後、カバーシェル２を上方からベースシェル１に被せる。この際、カバーシェル２の後端に形成した突出片２１…をコンタクトブロック４の基体７の圧入孔２２に上方から圧入するとともに、両側壁２０ｂ，２０ｂをベースシェル１の両側壁６ｂ，６ｂの外側面に沿うように垂下させる。このときカバーシェル２の両側壁２０ｂ，２０ｂに形成された弾性係止片３４…の上向き先部が、ベースシェル１の両側壁６ｂ，６ｂに設けた係止孔３５…に係止されることになる。これにより両シェル１，２が互いに結合されて扁平で前部にカード挿入口３ａを開口した箱状のハウジング３が形成されるとともにメモリカード用ソケットの組立が完了する。
【００３２】
次にメモリカードＭＣをメモリカード用ソケットに挿着する場合の各部の動作について説明する。メモリカードＭＣの未挿入状態では、コイルばね２３の弾発力を受けてスライダー５が前方へ移動し、両腕部５ｂ，５ｃの前端の傾斜面１９が突片１８に当接することで前方方向への移動が規制されており、この状態ではピン３１の一端がハートカム溝部３０のガイド溝３０ｂの後端位置（図５のイ）に移動している。また、この状態ではロック片２８の段部２８ａよりも前側の部位が、腕部５ｃの凹欠部２９よりも後側に設けた縦壁２９ａと当接して外側に撓められ、ロック片２８のロック爪２８ｂが凹欠部２９内に収納されて、腕部５ｃの内側面よりも内側に突出しないように規制されている状態にある。
【００３３】
この状態でメモリカードＭＣを正しい向きにしてカード挿入口３ａからハウジング３内に挿入すると、メモリカードＭＣの下面両側の段部１０３，１０３がスライダー５の段部１７，１７上に載置されてガイドされ、更にメモリカードＭＣをハウジング３内に押し込むと、メモリカードＭＣの傾斜カット部１０１がスライダー５の張出部１５の傾斜面１５ａに衝合するとともに、メモリカードＭＣの後部が主部５ａに衝合し、コイルばね２３の弾発力に抗してスライダー５を後方へ押すことになる。この際、右側の腕部５ｃの段部１７に形成された山形突起３６をメモリカードＭＣの右側縁の後部が乗り越えて、メモリカードＭＣのロック用切欠１０２内に山形突起３６が入り込むのであるが、山形突起３６の前側の端面には傾斜面３６ａが形成されているので、メモリカードＭＣの右側縁の後部が山形突起３６を乗り越えやすくなっている。
【００３４】
その後メモリカードＭＣを更に押し込むと、スライダー５の後退によってピン３１の軸部３１ｂはガイド溝３０ｂ底部の凹凸面３０ｃによってガイドされながらハートカム３０ａの上側のガイド溝３０ｂ（図５中のロ）を移動することになる。そしてスライダー５の主部５ａ後面がコンタクトブロック４の基体７前面に当たる位置に近い位置までメモリカードＭＣを押し込むと、ピン３１の軸部３１ｂがガイド溝３０ｂの先端に当たる位置ニ（図５参照）へ至ることになり、それ以上の押し込みができなくなる。この位置でメモリカードＭＣに加えていた押し込み力を解除すると、コイルばね２３の弾発力によりスライダー５がメモリカードＭＣと共に前方へ戻りかけるが、ピン３１の軸部３１ｂがガイド溝３０ｂに案内されながら移動してハートカム３０ａの凹部３０ｄに嵌り込むことになる。従ってこれ以上のスライダー５の前方移動が規制され、メモリカードＭＣはその位置でハウジング３内に留まることになる。またスライダー５が上記の位置まで移動すると、腕部５ｃに設けた縦壁２９ａの後端がロック片２８の段部２８ａよりも前側に移動するので、縦壁２９ａによる規制が無くなってロック片２８の先部が内側に撓み、ロック爪２８ｂが凹欠部２９から内側に突出してロック用切欠１０２に係入し、メモリカードＭＣをロックする。ここに、ハートカム溝部３０とピン３１とロック片２８とでロック機構が構成される。
【００３５】
この位置ではスライダー５の主部５ａ下面の凹溝１６…から前方に突出する各コンタクト１０…の先部がメモリカードＭＣ裏面の接続端子に接触している。また、この状態ではスイッチ片１１ａがメモリカードＭＣの傾斜カット部１０１に押されてスイッチ片１１ｂに接触し、スイッチ片１１ａ，１１ｂ間が導通するので、このスイッチ信号でメモリカードＭＣが正規位置に挿着されたことを検出することができる。また、ライトプロテクトスイッチ１０４の摘みが後側に移動している場合は、スイッチ片１２ｂの先部が摘みに乗り上げてスイッチ片１２ａの先部から離れることになり、上述と逆に摘みが前側に移動している場合はスイッチ片１２ｂがスイッチ片１２ａの先部に接触した状態となるので、このスイッチ信号でメモリカードＭＣがライトプロテクト状態にあるか否かを検出することができる。
【００３６】
以上のように装着されたメモリカードＭＣをソケットから取り出す際には、まずカード挿入口３ａから露出するメモリカードＭＣの後部を挿入方向に押してスライダー５とともにメモリカードＭＣを挿入方向へ移動させる。この移動に伴ってピン３１の軸部３１ｂがハートカム３０ａの凹部３０ｄから離脱するとともにガイド溝３０ｂにガイドされて凹部３０ｄより下側のガイド溝３０ｂ内へ移動する。そしてメモリカードＭＣの押し込み力を解除すると、スライダー５はコイルばね２３の弾発力により前方へ移動する。この移動によってスライダー５の腕部５ｃに設けた縦壁２９ａの後端がロック片２８の段部２８ａよりも後側に移動して、ロック片２８の段部２８ａよりも前側の部位が縦壁２９ａによって外側に押し撓められ、ロック片２８の先端のロック爪２８ｂが凹欠部２９内に後退してメモリカードＭＣのロックを解除する。
【００３７】
この時同時に、ピン３１の軸部３１ｂはガイド溝３０ｂにガイドされながらハートカム３０ａの下側のガイド溝３０ｂ（図５のハ）を通って後端側へ移動する。また、スライダー５はコイルばね２３の弾発力によってカード挿入口３ａ側へ移動して図１に示す状態に復帰することになり、メモリカードＭＣの後部がカード挿入口３ａから外部へ大きく露出し、メモリカードＭＣをハウジング３から取り出すことができる。この際コイルばね２３の弾発力によってスライダー５が取出方向へいっぱいまで移動すると、慣性によってメモリカードＭＣがカード挿入口３ａから外側へ飛び出そうになるが、腕部５ｃの段部１７に形成した山形突起３６がメモリカードＭＣのロック用切欠１０２内に入り込んでいるので、メモリカードＭＣが前方へ移動しようとすると、ロック用切欠１０２の後縁に山形突起３６が引っ掛かり、メモリカードＭＣの飛び出しが防止されるようになっている。また、メモリカードＭＣをベースシェル１側に押圧する押え片２５は、スライダー５がメモリカードＭＣの取出位置まで移動した状態で山形突起３６に対向するハウジング３（すなわちカバーシェル２）の部位に形成されているので、メモリカードＭＣの厚み寸法がばらついたり、メモリカードＭＣに反りが発生したとしても、山形突起３６とロック用切欠１０２とを確実に引掛係止させて、メモリカードＭＣの飛び出しを防止することができる。
【００３８】
尚、本実施形態ではＳＤメモリのようなメモリカードを挿抜自在に接続するソケットを例に説明したが、ＭＭＣカードなどの他の種類のメモリカードに対しても、本発明における技術は適用できるものであるから、特にＳＤメモリカードに限定されるものではない。
【００３９】
【発明の効果】
以上説明したように、請求項１の発明では、メモリカードをハウジングの内部に挿入した状態でスライド部材に設けた山形突起がメモリカードのロック用切欠内に突出しているので、メモリカードをソケットから取り外す際にロック機構によってスライド部材が解放され、付勢ばねの付勢力によってスライド部材が取出方向にいっぱいまで移動した際に、慣性でメモリカードが取出方向へ移動しようとすると、ロック用切欠の縁にスライド部材の山形突起が引っ掛かるから、メモリカードの飛び出しを防止できるという効果がある。
【００４０】
また請求項２の発明では、ハウジングに設けた弾接部によってメモリカードがスライド部材に押し付けられるから、メモリカードの厚み寸法がばらついても、山形突起とロック用切欠の縁とを確実に引掛係止させて、メモリカードの飛び出しを防止できるという効果がある。
【図面の簡単な説明】
【図１】本実施形態のメモリカード用ソケットを示し、（ａ）はカバーシェルを外した状態の上面図、（ｂ）は矢視Ｂ図である。
【図２】同上の分解斜視図である。
【図３】同上の外観斜視図である。
【図４】同上を示し、図３のＡ−Ａ断面図である。
【図５】同上のハートカム溝部の要部拡大図である。
【符号の説明】
５    スライダー
５ａ  主部
５ｂ，５ｃ  腕部
１７  段部
２３  コイルばね
３６    山形突起
【図１】
2005026016.tif 000003
【図２】
2005026016.tif 000004
【図３】
2005026016.tif 000005
【図４】
2005026016.tif 000006
【図５】
2005026016.tif 000007